(57)【特許請求の範囲】
【請求項１】
内箱と外箱との間に断熱材を充填して筐体を形成した冷蔵庫本体と、
この本体の庫内に設けられ、冷却器、ファン及びモータ等を有する冷却器室と、
この冷却器室に風路を介して連通して設けられた冷凍室と、
前記冷却器室と風路とを区画し、前記モータが取り付けられるベルマウスと、
このベルマウスの前面に設けられ、前記冷凍室への冷気の吹き出し口及び吸込口を有し、前記ベルマウスと組み合わされたファングリルと、
前記ファングリルの前記ファンに対向する部分より離れた位置で、前記冷蔵庫本体で支持される前記ファングリルの下端部近傍に設けられ、前記ファン、モータ及びファングリルから前記冷蔵庫本体に伝達される振動を吸収する、凹形状部で構成された振動吸収部と、
を備えたことを特徴とする冷蔵庫。
【請求項２】
内箱と外箱との間に断熱材を充填して筐体を形成した冷蔵庫本体と、
この本体の庫内に設けられ、冷却器、ファン及びモータ等を有する冷却器室と、
この冷却器室に風路を介して連通して設けられた冷凍室と、
前記冷却器室と風路とを区画し、前記モータが取り付けられるベルマウスと、
このベルマウスの前面に設けられ、前記冷凍室への冷気の吹き出し口及び吸込口を有し、前記ベルマウスと組み合わされたファングリルと、
前記ファングリルの前記ファンに対向する部分より離れた位置で、前記冷蔵庫本体で支持される前記ファングリルの下端部近傍に設けられ、前記ファン、モータ及びファングリルから前記冷蔵庫本体に伝達される振動を吸収する、薄肉部で構成された振動吸収部と、
を備えたことを特徴とする冷蔵庫。
【請求項３】
内箱と外箱との間に断熱材を充填して筐体を形成した冷蔵庫本体と、
この本体の庫内に設けられ、冷却器、ファン及びモータ等を有する冷却器室と、
この冷却器室に風路を介して連通して設けられた冷凍室と、
前記冷却器室と風路とを区画し、前記モータが取り付けられるベルマウスと、
このベルマウスの前面に設けられ、前記冷凍室への冷気の吹き出し口及び吸込口を有し、前記ベルマウスと組み合わされたファングリルと、
前記ファングリルの前記ファンに対向する部分より離れた位置で、前記冷蔵庫本体で支持される前記ファングリルの下端部近傍に設けられ、前記ファン、モータ及びファングリルから前記冷蔵庫本体に伝達される振動を吸収する、切り欠き部で構成された振動吸収部と、
を備えたことを特徴とする冷蔵庫。
【請求項４】
前記切り欠き部を前記冷凍室からの戻り冷気の風路としたことを特徴とする請求項３記載の冷蔵庫。
【発明の詳細な説明】
【０００１】
【発明の属する技術分野】
この発明は、冷蔵庫における静音化に関するものである。
【０００２】
【従来の技術】
図９は従来の冷蔵庫の要部断面図である。図において、１は冷蔵庫、２は冷凍室、３は引き出し式の冷凍室扉、４は食品収納ケース、５は断熱材、６は冷却器室、７は水受け部１８により支えられた冷却器、８は冷凍室２への冷気の吹き出し口、９は冷凍室２内に取り付けられたベルマウス、１０はベルマウス９に取り付けられたフタ、１２はベルマウス９にブッシュ１１を介して支えられたモータ、１３はモータの軸、１４はモータ軸１３の先端に取り付けられたファン、１５はベルマウス９と組み合わさり冷凍室２内に組み付けられたファングリル、１８は冷却器室６の除霜水を受け流す水受け部、２０は霜取りヒータ、３５はファングリル１５を水受け部８に嵌合させる爪、３２は冷凍室２からの冷却器室６への戻り冷気である。
【０００３】
また、図１０は図９に示す矢印Ａより見た図で、モータ１２の取り付け部を示しており、２３は下側リブ、２４は上側リブ、２８はモータ１２の配線であり、図１２はモータ１２をベルマウス９に取り付けた後にフタ１０を取り付ける直前の状態を示す図である。
【０００４】
冷凍室２の奥側に位置する冷却器室６内の冷却器７により冷却器室６内は冷やされ、その冷気はモータ１２のモータ軸１３の回転により回転するファン１４により送風され、吹き出し口８から冷凍室２に送られる。冷凍室２内を冷やした戻り冷気３２はファングリル１５と水受け部１８の間を通り冷却器室６に戻る。
【０００５】
また、図１１は従来の冷蔵庫の要部断面図で、配線２８をモータに背面方向に曲げてはわせている。その為、配線２８が引張り気味になった場合、モータ１２の軸ぶれをおこすことがあった。
【０００６】
【発明が解決しようとする課題】
上記のような従来例の冷蔵庫では、モータ１２及びファン１４の振動はベルマウス９に伝わり固定されているファングリル１５に伝わり、水受け部８に伝達され冷蔵庫を振動させる。またファン１４により送風された風がファングリル１５を叩き振動させていた。
また、ベルマウス９にモータ１２を付け、その後にフタ１０をセットし、配線２８をフタ１０側を通す為、配線２８がひっぱり気味になった時モータ１２の軸ぶれの原因になっていた。
図１０の下側リブ２３の軸側の面が略水平である為、水滴３０をホールドしてしまいファン１４と水滴が当たり騒音発生の原因になっていた。
【０００７】
この発明は、かかる問題点を解消するためになされたもので、モータの振動、ファンの振動及びファンにより送風された風が風路構成部品をたたく振動が、風路構成部品やモータ保持部から水受け部に伝達して箱体から発生する騒音を低減することを目的とする。
【０００８】
【課題を解決するための手段】
この発明に係る冷蔵庫は、内箱と外箱との間に断熱材を充填して筐体を形成した冷蔵庫本体と、この本体の庫内に設けられ、冷却器、ファン及びモータ等を有する冷却器室と、この冷却器室に風路を介して連通して設けられた冷凍室と、冷却器室と風路とを区画し、モータが取り付けられるベルマウスと、このベルマウスの前面に設けられ、冷凍室への冷気の吹き出し口及び吸込口を有し、ベルマウスと組み合わされたファングリルと、ファングリルのファンに対向する部分より離れた位置で、冷蔵庫本体で支持されるファングリルの下端部近傍に設けられ、ファン、モータ及びファングリルから冷蔵庫本体に伝達される振動を吸収する、凹形状部で構成された振動吸収部とを備えたことを特徴とする。
【０００９】
また、この発明に係る冷蔵庫は、内箱と外箱との間に断熱材を充填して筐体を形成した冷蔵庫本体と、この本体の庫内に設けられ、冷却器、ファン及びモータ等を有する冷却器室と、この冷却器室に風路を介して連通して設けられた冷凍室と、冷却器室と風路とを区画し、モータが取り付けられるベルマウスと、このベルマウスの前面に設けられ、冷凍室への冷気の吹き出し口及び吸込口を有し、ベルマウスと組み合わされたファングリルと、ファングリルのファンに対向する部分より離れた位置で、冷蔵庫本体で支持されるファングリルの下端部近傍に設けられ、ファン、モータ及びファングリルから冷蔵庫本体に伝達される振動を吸収する、薄肉部で構成された振動吸収部とを備えたことを特徴とする。
【００１０】
また、この発明に係る冷蔵庫は、内箱と外箱との間に断熱材を充填して筐体を形成した冷蔵庫本体と、この本体の庫内に設けられ、冷却器、ファン及びモータ等を有する冷却器室と、この冷却器室に風路を介して連通して設けられた冷凍室と、冷却器室と風路とを区画し、モータが取り付けられるベルマウスと、このベルマウスの前面に設けられ、冷凍室への冷気の吹き出し口及び吸込口を有し、ベルマウスと組み合わされたファングリルと、ファングリルのファンに対向する部分より離れた位置で、冷蔵庫本体で支持されるファングリルの下端部近傍に設けられ、ファン、モータ及びファングリルから冷蔵庫本体に伝達される振動を吸収する、切り欠き部で構成された振動吸収部とを備えたことを特徴とする。
【００１２】
また、切り欠き部を冷凍室からの戻り冷気の風路としたものである。
【００１７】
【発明の実施の形態】
実施の形態１．
以下、この発明の実施の形態１を図面を参照して説明する。
図１、２はこの発明の実施の形態１を示す図で、図１は冷蔵庫の要部断面図、図２は冷蔵庫の要部斜視図である。図において、１は冷蔵庫、２は冷凍室、３は引き出し式の冷凍室扉、４は冷凍室２内に配設された食品収納ケース、５は外箱と内箱との間に充填された断熱材、６は冷凍室２の背面側に位置する冷却器室、３１は冷却器室６に取り付けられた冷却器保持具、７は冷却器保持具３１により保持された冷却器、８は冷凍室２への冷気の吹き出し口、９は冷凍室２内に取り付けられた風路構成部材であるベルマウス、１０はベルマウス９に取り付けられたフタ、１１はベルマウス９とフタ１０それぞれに取り付けられたブッシュ、１２はベルマウス９にブッシュ１１を介して支えられたモータ、１３はモータ軸、１４はモータ軸１３の先端に取り付けられたファン、１５はベルマウス９と組み合わされて冷凍室２内に組み付けられたファングリル、１６はファングリルの下側の支えリブ、１７はファングリル１５を支える冷凍室２内の支持具である凸形状部、１８は冷却器室６の除霜水を受け流す水受け部、１９はファングリル１５に設けられた振動吸収部である凹形状部、２０は霜取りヒータ、３３は凹形状部１９内で部分的に支える補助リブである。
【００１８】
冷凍室２の奥側に位置する冷却器室６内の冷却器７により冷却器室６内は冷やされ、その冷気はモータ１２のモータ軸１３の回転により回転するファン１４により送風され、吹き出し口８から冷凍室２に送られる。冷凍室２内を冷やした戻り冷気３２はファングリル１５の表面と支えリブ１６の間を通り冷却器室６に戻る。
【００１９】
送風する為に回転するファン１４の振動、モータ１２の回転振動、ファン１４によりあおられた風がファングリル１５を叩いた振動等がファングリル１５とベルマウス９から、それらの下方向での支えリブ１６を支える冷凍室２から突出した凸形状部１７へ伝達される間に凹形状部１９を有することにより、凹形状部１９の曲がるばね性により、伝達されにくくなり、騒音が小さくなる。
【００２０】
実施の形態２．
図３はこの発明の実施の形態２を示す図で、冷蔵庫の要部断面図である。図において、１５はファングリル、２１は薄肉部である。
前記実施の形態１では、ファングリル１５の凹形状部１９により、振動の伝達を抑制したが、本実施の形態では凹形状部１９に代えて薄肉部２１を設けたものである。
これにより実施の形態１記載の冷蔵庫と同等の効果が得られる。
【００２１】
実施の形態３．
図４はこの発明の実施の形態３を示す図で、冷蔵庫の要部斜視図である。図において、２２はファングリル１５に設けられた切り欠き部である。
実施の形態１記載の冷蔵庫の凹形状部１９が切り欠き部２２に代わったものである。これにより部分的に剛性が変わりばね性を持つことにより、実施の形態１記載の冷蔵庫と同等の効果が得られる。また、切り欠き部２２を戻り冷気３２の風路とすることにより戻り風路面積が大きく確保することができる。
【００２２】
実施の形態４．
図５はこの発明の実施の形態４を示す図で、冷蔵庫の要部正面図であり、図１の矢印Ａの方向から見たものである。図において、３４はモータ１２の入るケース部、２３はケース部３４とベルマウス９を支える下側支え部である下側リブ、２４は上側支え部である上側リブ、２５はファン１４により吸われる冷気、２６はモータ軸１３から円周外に突出した方形状部である。
ファン１４の回転により冷気２５が流れ込み送風され、モータ１２及びケース部３４を上側リブ２４により釣り下げ変形やぶれを下側リブ２３により抑える。
【００２３】
従来の技術に示したものより下側リブ２３の間隔が広くとられているので安定し、モータ１２の軸ぶれによるケース部３４の振動が抑えられる。また、下側リブ２３の間隔が広くとられているので、下側リブ２３のモータ軸１３側の面の傾斜が大きくなり、モータ軸１３側の面に水滴が付いても垂れ易くなり、氷として成長しづらくなる事によりファン１４との当たりでの音が発生しにくくなる。
【００２４】
実施の形態５．
図６はこの発明の実施の形態５を示す図で、冷蔵庫の要部正面図である。図に示すように、上側リブ２４と下側リブ２３とをモータ軸１３に対して略対角位置としたものである。
実施の形態４記載の冷蔵庫より下側リブ２３の間隔が広くとられているので、モータ１２の軸ぶれによるケース部３４の振動がさらに抑えられる。また、下側リブ２３の間隔が広くとられているので下側リブのモータ軸１３側の面の傾斜がさらに大きくなり、モータ軸１３側の面に水滴が付いても垂れ易くなり、氷として成長しづらくなる事によりファン１４との当たりでの音がさらに発生しにくくなる。
【００２５】
実施の形態６．
図７はこの発明の実施の形態６を示す図で、冷蔵庫の要部斜視図である。図において、２７は下側リブ２３に垂直な補助リブである。
下側リブ２３がベルマウス９及びケース部３４に対して垂直でモータ軸方向に面が小さい為、モータ軸側に水滴が付いてファン当たりによる音の発生の原因になりづらくなる。また、冷気が通る時のじゃまになりづらくなっている。また、ケース部３４のぶれに対しても有利である。
【００２６】
実施の形態７．
図８はこの発明の実施の形態７を示す図で、冷蔵庫の斜視図である。図において、２８はモータの配線、２９はモータ１２の側面側でベルマウス９より突出し上下方向に交互に開放された係止部である爪であり、３５は配線２８の出入口の下爪である。
図１１に示した従来の冷蔵庫では配線２８をモータ背面方向に曲げてはわせる為図示方向に引っ張り力が働きファン１４をずらすことがあった。
本実施の形態による図８の構成では取り付け時に配線２８の付いたモータ１２を置き配線２８出口から横方向に配線２８をとりまわす。
取り付け時にモータ軸１３を中心にした方向の回転ストレスしかかからない為、軸ぶれが少なくなり、ぶれにより発生する音が軽減される。また、図示上下方向に開放した爪２９を交互にはわせる事により配線２８のはずれによるファン１４と配線２８の絡みを防止できる。
また、下爪３５は配線２８がモータ１２の下側を通る間をカバーする為、ベルマウス９を冷蔵庫１に取り付ける際に冷却器７のエッジ部から配線２８を保護する。
【００２７】
【発明の効果】
この発明に係る冷蔵庫は、ファン及びモータが取り付けられるベルマウスをファングリルと組み合わせて庫内に取り付け、ファングリルのファンにより送風される冷気が直接吹き付けられる部位以外の箇所に振動を吸収する振動吸収部を設けたので、冷蔵庫本体の騒音を小さくすることができる。
【００２８】
また、振動吸収部を切り欠き部で構成することにより、戻り風路面積を大きくすることができる。
【図面の簡単な説明】
【図１】  この発明の実施の形態１を示す要部断面図である。
【図２】  実施の形態１を示す要部斜視図である。
【図３】  実施の形態２を示す要部断面図である。
【図４】  実施の形態３を示す要部斜視図である。
【図５】  実施の形態４を示す要部正面図である。
【図６】  実施の形態５を示す要部正面図である。
【図７】  実施の形態６を示す要部斜視図である。
【図８】  実施の形態７を示す要部斜視図である。
【図９】  従来の冷蔵庫を示す要部断面図である。
【図１０】  従来の冷蔵庫を示す要部正面図である。
【図１１】  従来の冷蔵庫を示す要部断面図である。
【図１２】  従来の冷蔵庫を示す要部斜視図である。
【符号の説明】
１  冷蔵庫、２  冷凍室、３  冷凍室扉、４  食品収納ケース、５  断熱材、６  冷却器室、７  冷却器、８  吹き出し口、９  ベルマウス、１０  フタ、１１  ブッシュ、１２  モータ、１３  モータ軸、１４  ファン、１５  ファングリル、１６  支えリブ、１７  凸形状部、１８  水受け部、１９  凹形状部、２０  霜取りヒータ、２１  薄肉部、２２  切り欠き部、２３  下側リブ、２４  上側リブ、２５  冷気、２６  方形状部、２７  補助リブ、２８  配線、２９  爪、３０  水滴、３１  冷却器保持具、３２  戻り冷気、３３  補助リブ、３４ケース部、３５  下爪。
【図１】
0003648078.tif 000002
【図２】
0003648078.tif 000003
【図３】
0003648078.tif 000004
【図４】
0003648078.tif 000005
【図５】
0003648078.tif 000006
【図６】
0003648078.tif 000007
【図７】
0003648078.tif 000008
【図８】
0003648078.tif 000009
【図９】
0003648078.tif 000010
【図１０】
0003648078.tif 000011
【図１１】
0003648078.tif 000012
【図１２】
0003648078.tif 000013